(57)【要約】【課題】  製作が容易で生産性がよく故障も生じないようにする。【解決手段】  雨水ます用防臭装置Aは、亜鉛めっき鋼板製であり、ます1にはめ入れられる縦筒体2と、縦筒体2の上端周縁に設けられかつます蓋周縁載置用段部3に掛け止められる鍔部4と、縦筒体2の右側壁5下端に設けられかつ縦筒体2の下端開口の略半分を塞ぐ固定底板6と、右側壁5と対向する左側壁7下端に揺動自在に取り付けられかつ縦筒体2の下端開口の残部８を付属のバランス・ウエイト９により下側から塞ぐとともに流入雨水の所定の重力により下に開く可動底板10と、固定底板6にあけられた増水溢出口11を自重により上側から塞ぐとともに下水本管側の増水により上に開く上下動自在な平らな蓋12とを備え、蓋12には、増水溢出口11の一対の対向縁から下方にのびかつ下端に抜け止め用外方突出部13を有する垂下壁14が設けられている。【選択図】  図１
2005139760.tif 000002
【特許請求の範囲】
【請求項１】
ますにはめ入れられる横断面方形の縦筒体と、縦筒体の上端周縁に設けられかつます蓋周縁載置用段部に掛け止められる鍔部と、縦筒体の一側壁下端に設けられかつ縦筒体の下端開口の略半分を塞ぐ固定底板と、前記一側壁と対向する他側壁下端に揺動自在に取り付けられかつ縦筒体の下端開口の残部を付属のバランス・ウエイトにより下側から塞ぐとともに流入雨水の所定の重力により下に開く可動底板と、固定底板にあけられた方形の増水溢出口を自重により上側から塞ぐとともに下水本管側の増水により上に開く上下動自在な方形の平らな蓋とを備え、蓋には、増水溢出口の一対の対向縁から下方にのびかつ下端に抜け止め用外方突出部を有する弾性変形可能な垂下壁が設けられている雨水ます用防臭装置。
【請求項２】
固定底板と可動底板とがともに内方下向きに傾斜しており、相対的に勾配が固定底板より可動底板の方が急である請求項１記載の雨水ます用防臭装置。
【発明の詳細な説明】
【技術分野】
【０００１】
本発明は、道路の側溝等に設けられている雨水ますに下水本管内の悪臭が逆流し、地上に放出されるのを防ぐ雨水ます用防臭装置に関する。
【背景技術】
【０００２】
従来の雨水ます用防臭装置は、下記特許文献１に開示せられているように、ます内に中蓋が雨水を堰き止める閉じ姿勢にして設けられ、閉じ姿勢の中蓋を一定以上の重力により開放可能に構成し、中蓋には、内部からの増水により押し開けられて溢流を許容するフラップ片が水平横軸回りに回動自在に設けられたものである。
【特許文献１】特許第３３７７５１５号公報
【特許文献２】実開平７−１７８９３号公報
【発明の開示】
【発明が解決しようとする課題】
【０００３】
従来の上記雨水ます用防臭装置では、増水対応構造として、フラップ片が中蓋に水平横軸を介し、回動自在に取り付けけられているので、部品数が多く構造が複雑になり、故障の原因になるばかりか、防臭装置自体の製作に手間がかかり生産性が悪くなるといううらみがあった。
【０００４】
本発明の目的は、製作が容易で生産性がよく故障も生じない雨水ます用防臭装置を提供するにある。
【課題を解決するための手段】
【０００５】
請求項１の発明による雨水ます用防臭装置は、ますにはめ入れられる横断面方形の縦筒体と、縦筒体の上端周縁に設けられかつます蓋周縁載置用段部に掛け止められる鍔部と、縦筒体の一側壁下端に設けられかつ縦筒体の下端開口の略半分を塞ぐ固定底板と、前記一側壁と対向する他側壁下端に揺動自在に取り付けられかつ縦筒体の下端開口の残部を付属のバランス・ウエイトにより下側から塞ぐとともに流入雨水の所定の重力により下に開く可動底板と、固定底板にあけられた方形の増水溢出口を自重により上側から塞ぐとともに下水本管側の増水により上に開く上下動自在な方形の平らな蓋とを備え、蓋には、増水溢出口の一対の対向縁から下方にのびかつ下端に抜け止め用外方突出部を有する弾性変形可能な垂下壁が設けられているものである。
【０００６】
上記垂下壁を弾性変形可能なものとするための蓋全体の材料としては、ステンレス板、亜鉛めっきまたは錫めっき鋼板および若干弾性を有する合成樹脂板をあげることができる。方形の平らな蓋は、周囲4辺のうち少なくとも平行な2辺が増水溢出口の対応する２辺の両端より突出する長さを有しておればよい。
【０００７】
請求項2の発明は、請求項１記載の雨水ます用防臭装置において、固定底板と可動底板とがともに内方下向きに傾斜しており、相対的に勾配が固定底板より可動底板の方が急であるものである。
【０００８】
上記固定底板は、その上に流下して溜まった雨水を開いた可動底板に向けて流すために、内方下向きに傾斜している方がよいが、増水溢出口を塞ぐ平らな蓋が円滑に上下動し得るためには、水平に近い緩やかな勾配が望ましい。
【発明の効果】
【０００９】
請求項１の発明の雨水ます用防臭装置によれば、ますにはめ入れられる横断面方形の縦筒体と、縦筒体の上端周縁に設けられかつます蓋周縁載置用段部に掛け止められる鍔部と、縦筒体の一側壁下端に設けられかつ縦筒体の下端開口の略半分を塞ぐ固定底板と、前記一側壁と対向する他側壁下端に揺動自在に取り付けられかつ縦筒体の下端開口の残部を付属のバランス・ウエイトにより下側から塞ぐとともに流入雨水の所定の重力により下に開く可動底板と、固定底板にあけられた方形の増水溢出口を自重により上側から塞ぐ蓋とを備えているので、鍔部をます用段部に掛け止めてその上に蓋周縁を載置すれば、縦筒体はます内に宙吊り状態に簡単に収まり、閉じた両底板によって下水本管から逆流してくる悪臭が遮断され、地上に放出されるのを防ぐことができるし、さらにます底での蚊の発生も阻止することができる。そして、道路の側溝等からます蓋の複数の孔を通過して縦筒体に流入した雨水が両底板上に溜まり、バランス・ウエイトの閉鎖力を超える所定の重力になると、可動底板が下方に開いてます内に流下する。また、平らな蓋は、下水本管側の増水により上に開く上下動自在なものであり、蓋には、増水溢出口の一対の対向縁から下方にのびかつ下端に抜け止め用外方突出部を有する垂下壁が設けられているものであるから、集中豪雨等により下水本管側が増水した場合は、水によって蓋が押し上げられ、増水溢出口が開いてここから水が溢れ出、防臭装置が増水によって破壊されることはない。水が退くと、蓋は自重で降下して再び増水溢出口を塞ぐが、蓋の上下動は、一対の垂下壁が増水溢出口の一対の対向縁に案内されて摺動するので、円滑に行われて蓋の開閉が確実に果たされる。さらに、両垂下壁が弾性変形可能なものであるから、防臭装置の製作時これを増水溢出口に組み込むさいには、増水溢出口の上方から両垂下壁相互を手で挟んで内側へ曲げ両下端の間隔を狭めれば、抜け止め用外方折曲部が存在するにもかかわらず、両垂下壁は増水溢出口を通過するので、その後手を離すだけで両垂下壁は復元し蓋は自動的に閉じる。このように蓋を増水溢出口に組み込むのに別の部材を必要としないから、それだけ増水対応構造が簡素化し、取り付け部分がないため故障が発生しないとともに防臭装置自体の製作が容易で生産性がよい。
【発明を実施するための最良の形態】
【００１０】
本発明を実施するための最良の形態を、以下図面を参照して説明する。なお、
この形態において、その方向は図３を基準とするものであり、左とは同図左側を、右とは同図右側を、前とは紙面前側を、後とは紙面後側をそれぞれいうものとする。
【００１１】
図示の雨水ます用防臭装置は、亜鉛めっき鋼板の板金加工により製作せられたものであり,ます1にはめ入れられる横断面略正方形の縦筒体2と、縦筒体2の上端周縁に設けられかつます蓋周縁載置用段部3に掛け止められる鍔部4と、縦筒体2の右側壁5下端に一体に設けられかつ縦筒体2の下端開口の略半分を塞ぐ固定底板6と、前記右側壁5と対向する左側壁7下端に揺動自在に取り付けられかつ縦筒体2の下端開口の残部８を付属のバランス・ウエイト９により下側から塞ぐとともに流入雨水の所定の重力により下に開く可動底板10と、固定底板6にあけられた前後に長い長方形の増水溢出口11を自重により上側から塞ぐとともに下水本管（図示略）側の増水により上に開く上下動自在な前後に長い長方形の平らな蓋12とを備え、蓋12には、増水溢出口11の一対の前後対向縁から下方にのびかつ下端に抜け止め用外方突出部13を有する垂下壁14が設けられているものである。
【００１２】
長方形の平らな蓋12の周囲の前後2辺は、増水溢出口11の前後2辺より突出する長さを有しており、蓋12の周囲の左右2辺は、増水溢出口11の左右2辺とほぼ同じ長さである。固定底板6と可動底板10とはともに内方下向きに傾斜しており、相対的に勾配が固定底板6より可動底板10の方が急であるが、固定底板6の勾配は、水平に近い緩やかなものである。
【００１３】
縦筒体2は、鍔部4と一体でその左右内縁から内下向きにのびかつ垂直下縁15を有する一対の左右傾斜板状部16と、左傾斜板状部16の垂直下縁15に溶接せられかつ内下向き下縁17を有し左側壁7となる左垂直板18と、右傾斜板状部16の垂直下縁15に溶接せられかつ固定底板6を一体に有し右側壁5となる右垂直板19と、これらに溶接せられてその前後開放部を塞ぐ形状を有しかつ鍔部4の下面に溶接せられた水平外向き上縁20を備えている前後垂直板21とよりなる。可動底板10は、ともに直角をなして下向きに折れ曲がった折曲左縁22と折曲右縁23とを有しており、可動底板10の左端部は、左垂直板18の内下向き下縁17に下側から当接するようになされ、可動底板10の右端部は、固定底板６の左端に外下向きに折り曲げられて左垂直板18の内下向き下縁17の延長平面上に設けられたストッパ24に下側から当接するようになされている。可動底板10の折曲左縁22右面には、可動底板10と直角をなしかつ可動底板10の前後長さと同じ前後長さを有する揺動板25の上端部が溶接せられ、可動底板10の折曲左縁22と揺動板25の上端部とが、揺動板25の内下向き上縁27と可動底板10の左端部下面とがそれぞれ溶接せられている。可動底板10の折曲左縁22左面と左垂直板18の下半部左面に3つの蝶番26が跨らせられて左側壁7に蝶番26の上半部が取り付けられ、可動底板10の折曲左縁22およびこれに重ねられた揺動板25の上端部に蝶番26の下半部が取り付けられている。揺動板25の下端には、直角をなして外方に折り曲げられたバランス・ウエイト取り付け部28が設けられており、その上面に2個の帯状バランス・ウエイト29が重ねられてボルト・ナット30により固定されている。右垂直板19の上端部に溶接せられた右傾斜板状部16の垂直下縁15の内側真中に逆Ｌ形の取っ手31の垂直部32が固定されており、雨水ます用防臭装置Ａのます１への出し入れを容易にしている。
【００１４】
上記において、可動底板10は、バランス・ウエイト29により常閉状態にあるので、固定底板6とともに下水本管から逆流してくる悪臭を遮断しかつます１の底での蚊の発生をも阻止する。そして、ます蓋33の複数の孔34を通過して縦筒体2に流入した雨水が両底板6、10上に溜まるとその重力で可動底板10が下方に開いて雨水はます1内に流下し、排水管35を経て下水本管に至る。また、下水本管側が増水した場合は、水によって蓋12が押し上げられて増水溢出口11が開く。水が退くと、蓋10は自重で降下して再び増水溢出口11を塞ぐ。蓋10の上下動にさいしては、一対の垂下壁14が増水溢出口11の前後対向縁に案内されて摺動する。
【図面の簡単な説明】
【００１５】
【図１】本発明による防臭装置が雨水ますに装着された状態を示す垂直断面図である。
【図２】本発明による雨水ます用防臭装置の平面図である。
【図３】図2のIII−III線にそう拡大詳細断面図である。
【図４】増水溢出口の蓋の斜視図である。
【符号の説明】
【００１６】
１  ます
２  縦筒体
３  蓋周縁載置用段部
４  鍔部
５  縦筒体の右（一方の）側壁
６  固定底板
７  縦筒体の左（他方の）側壁
８  縦筒体の下端開口の残部
９  バランス・ウエイト
10  可動底板
11  増水溢出口
12  蓋
13  垂下壁抜け止め用外方突出部
14  垂下壁
【図１】
2005139760.tif 000003
【図２】
2005139760.tif 000004
【図３】
2005139760.tif 000005
【図４】
2005139760.tif 000006